(57)【要約】      （修正有）【課題】壁などの設置部位に安全に取り付けられる照明具を提供する。【解決手段】照明具は、壁などに設置される取り付け台１０及び照明具ユニット２からなり、取り付け台１０に設けた係合スリットに対して照明具ユニット２側に設けた嵌着部材の嵌着部が挿入して嵌合され、照明具ユニット２を回すことによって該嵌着部を係合させ、同時に照明具ユニット２側に設置したスイッチがオンとなって照明具ユニット２側が外部電源と接続され、照明具ユニット２を逆方向に回すと、嵌着部材と取り付け台１０の係合スリットとの係合が外れると共に外部電源と遮断される。【選択図】図１
0003213344.tif 000002
【実用新案登録請求の範囲】
【請求項１】
照明具は、取り付け台、照明具ユニットを備え、
上記取り付け台は、底部に複数の係合スリットを環状に設置し、該係合スリットは、相互に連通したスリット導入部及びスリット係合部、及び該導入部一端に位置する第一接触係止部を備え、該スリット係合部の幅は、該スリット導入部の幅より小さく、該第一接触係止部は該係合部に対して反対端に位置し、
上記照明具ユニットは、第一台体、複数の嵌着部材、少なくとも１個の制限部材、少なくとも１個の弾性パーツ、第二台体ユニット及びランプ体部材を備え、
上記第一台体内には、第一収容設置空間を備えると共にその頂端部には、該第一収容設置空間と相互に通じる複数の第一穿孔及び少なくとも１個の第二穿孔を設置し、該第一穿孔と前記係合スリットとは、相互に相対し、該第一台体側部には、該第一収容設置空間と連通する少なくとも１個の切欠き開口を設置し、
上記嵌着部材は、上記第一収容設置空間内に配置して上記第一穿孔位置に組み付けられ、該嵌着部材一端に設けた嵌着部を該第一穿孔外に突出して露出し、
上記制限部材は、上記第一収容設置空間内において上記第二穿孔及び上記切欠き開口位置に設置され、該制限部材頂端に突出して設けられた制限部は、該第二穿孔外に突出して露出すると共に、該制限部材の制限部底部と該制限部材間に段差状の第二接触係止部を設けることにより、該第二接触係止部を第一収容設置空間内面に当接させて第二穿孔外に突出した制限部を係止し、
さらに、該制限部材片側に突出する第一作動部を設けて、上記第一台体側部の切欠き開口から外方に突出して露出させ、
上記弾性パーツ一端は、該制限部材に弾発的に接することにより該制限部材を上記第一台体に対して、弾発力を付与してスライド移動可能とし、
また、上記第一台体側部の切欠き開口から外方に突出した制限部材の第一作動部を作動させて、該制限部材をスライド移動させて該第二穿孔内に後退可能とし、
上記第二台体ユニットは、内部に第二収容設置空間を設けると共に第二台体及び電極台を備え、
該第二台体ユニットと上記第一台体を相互に組み付けられて相互に合わさることにより、該第二台体内部の第二収容設置空間は、上記第一収容設置空間と相互に連通して、上記嵌着部材、制限部材及び電極台は、該第一台体及び該第二台体内に収容され、
上記弾性パーツの反対端は、該第二収容設置空間一底部に弾性的に当接し、
上記ランプ体部材と上記第二台体が相互に組み付けられることにより、上記ランプ体部材と電極台の主電極及び副電極が、電気的に導通して外部電源を供給されることを特徴とする照明具。
【請求項２】
前記第一台体は、星型を呈し、かつ開口が下向きの薄いケース状で、
前記複数の第一穿孔は、環状に配列され、
前記少なくとも１個の第二穿孔の数量は１個で、
前記第一台体は、やや円錐体状で、且つ複数のフランジを備え、該第一台体一端面には、環状に配列した複数の環状片を備えると共に該各環状片一端部には、傾斜した端面の錐部を設置し、
該複数の環状片が取り囲む円の内直径は、前記取り付け台の外直径より大きく、該各嵌着部材一端には、円孔状結合部を設置し、結合部材を通して固定し、該第一台体と結合し、
前記制限部材は、Ｌ型を呈し、該制限部材一底部には、円柱状凸柱を突出して設けて、前記弾性パーツは、該凸柱に嵌合してなることを特徴とする請求項１に記載の照明具。
【請求項３】
前記第二台体は、上向きの開口を形成する薄いケースを構成し、その中央には、円柱型ベースを突出して設置し、
該円柱型ベース端面には、内部に連通する第四穿孔を設置し、
前記電極台は、該ベース内に収容され、該電極台には、相互に間隔を開けた主電極及び副電極を設置し、該主電極端部は、該第四穿孔に通して設置し、該副電極には、複数の爪部を環状に配列したことを特徴とする請求項１に記載の照明具。
【請求項４】
前記第二台体周面には、その内部の第二収容設置空間と連通する少なくとも１個の開口部を設置し、該第二台体外周部には、複数の嵌合フックを環状に設置し、少なくとも１個の嵌合フックと該少なくとも１個の開口部とは相対し、
該少なくとも１個の開口部位置には、スイッチを設置し、該スイッチの切り替えボタンは、該開口部外に突出して露出し、
該第二台体と前記ランプ体部材とを組合せると、該ランプ体部材に設けた複数の嵌合突起と該複数の嵌合フックとは嵌合し、同時に少なくとも１個の嵌合突起は、該開口部位置において該切り替えボタンに当接して作動させることにより、該スイッチはオンとなって該ランプ体部材は外部電源と接続され、
該ランプ体部材を該第二台体上から取り外すと、該スイッチはオフとなって外部電源と遮断されることを特徴とする請求項１に記載の照明具。
【請求項５】
前記第二台体周面の開口部は２個で、
前記第二台体外周部の嵌合フックは４個で
該２個の嵌合フックと２個の該開口部とは、相対し、前記スイッチはマイクロスイッチであることを特徴とする請求項４に記載の照明具。
【請求項６】
前記第二台体の第二収容設置空間内には、少なくとも１個の第一組み付け部及び少なくとも１個の第二組み付け部を設置し、
該少なくとも１個の第一組み付け部及び少なくとも１個の第二組み付け部と該少なくとも１個の開口部とはそれぞれ相対し、
該少なくとも１個の第一組み付け部は、それぞれ該少なくとも１個の開口部と該少なくとも１個の第二組み付け部の間に位置し、
該少なくとも１個の第二組み付け部には、ボルトを通し、少なくとも１個の台座及び該少なくとも１個のスイッチを組み付け、これにより該少なくとも１個のスイッチは、該少なくとも１個の台座にそれぞれ組み付けられることを特徴とする請求項４に記載の照明具。
【請求項７】
前記嵌着部材の嵌着部は、前記取り付け台の前記スリット導入部と前記スリット係合部間で移動可能とし、
前記照明具ユニットを取り付け台に対して回すと、該嵌着部と該スリット係合部とは相互に嵌着すると共に、前記制限部材を該スリット導入部へと移動させ、該制限部材の制限部が弾性パーツの弾力で押圧されて該スリット導入部内に入り、該制限部の幅は該スリット係合部の幅より大きく、該制限部は、該スリット導入部内に制限されて前記第一接触係止部と相互に当接して係止され、
該制限部材の第一作動部を下方へと動かすと、該制限部材は該弾性パーツを下方へと押圧してスライド移動して該スリット導入部から脱出し、さらに該照明具ユニットを回して、該嵌着部を回転させると、該スリット導入部は該スリット係合部と離れて、該照明具ユニットは該取り付け台上から取り外されることを特徴とする請求項１に記載の照明具。
【請求項８】
前記第一台体は、前記複数の嵌着部が一体に突出状に設置されることを特徴とする請求項１に記載の照明具。
【考案の詳細な説明】
【技術分野】
【０００１】
本考案は照明具に関し、特に壁面などの取付部位に安全に取り付けることができる照明具に関する。
【背景技術】
【０００２】
従来の照明具は、図２０に示すように、底台７１及びランプ体台７２を備える。
底台７１は、天井或いは壁上に固定して設置され、その端部には、複数の凹槽状第一係合部を設置する。
ランプ体台７２と底台７１は、相互に組み付けられる。
ランプ体台７２端部には、複数の第二係合部７２１を突出状に設置する。
第二係合部７２１を第一係合部に被せて回転させれば、第一係合部と相互に係合させられ、こうしてランプ体台７２は、底台７１位置に組み付けられる。
【０００３】
しかし、上記した従来の照明具には以下のような欠点がある。
ランプ体台７２の第二係合部７２１は、回転させた後、第一係合部と相互に係合するが、長時間の使用後、或いは外力を受けて揺れると、ランプ体台７２は自ら回転し、第二係合部７２１が第一係合部から抜けてしまう恐れがある。
これでは、ランプ体台７２が落下し、危険である。
【先行技術文献】
【特許文献】
【０００４】
【特許文献１】特開２００６−６６３１４号公報
【考案の概要】
【考案が解決しようとする課題】
【０００５】
本考案の目的は、安全性を備える照明具を提供することである。
【課題を解決するための手段】
【０００６】
照明具は、取り付け台及び照明具ユニットを備え、
照明具ユニットは、第一台体、複数の嵌着部材、少なくとも１個の制限部材、少なくとも１個の弾性パーツ、第二台体ユニット及びランプ体部材を備え、
該嵌着部材の嵌着部は取り付け台の第一入口とスリット係合部との間で移動でき、
照明具ユニットを回すと、該嵌着部は、スリット係合部と相互に嵌着でき、制限部材は第一入口位置に移動し、制限部は弾性パーツの弾力により押され、第一入口内を通過し、該照明具ユニットと取り付け台とは定位されて離れず、高い安全性を備える。
【考案の効果】
【０００７】
本考案は以下の効果を備える。
1.     制限部は、第一入口を通過し、照明具ユニットは、制限部及び第一接触係止部に制限され、回転できないため、安全性を備える。
2.   第一台体は取り付け台端面に接触し、制限部は移動して第二穿孔内に隠れ、該照明具ユニットを組み付ける時には、制限部材を移動させなくとも、片手で取り付けできるため、利便性が高い。
3.   第一作動部を下方へと動かすと、制限部は第一入口を脱出し、次に照明具ユニットを回転させ、嵌着部を第一入口位置に回転させると、スリット係合部は開き、照明具ユニットは、取り付け台上から取り外され、このように二段階のステップが必要なため、安全性を備える。
4.   ランプ体部材と第二台体を回転させて組み付けると、嵌合突起と嵌合フックは嵌着し、スイッチはオンとなり、こうして主電極及び副電極は電気的連通を呈する。
5.   嵌合突起と嵌合フックが離れると、スイッチはオフを呈する。
【図面の簡単な説明】
【０００８】
【図１】本考案の立体分解図である。
【図２】本考案の取り付け台の立体図である。
【図３】本考案の照明具ユニットの立体分解図である。
【図４】本考案の第一台体の立体図である。
【図５】本考案の嵌着部材の立体図である。
【図６】本考案の制限部材の立体図である。
【図７】本考案の第二台体ユニットの立体分解図である。
【図８】本考案の第二台体ユニットの立体組合せ図である。
【図９】本考案の照明具ユニットの立体組合せ図である。
【図１０】本考案の立体分解図である。
【図１１】図１０中Ａ位置の拡大図である。
【図１２】本考案の一部パーツの立体組合せ図である。
【図１３】本考案の取り付け台と照明具ユニットが相互に嵌着する様子を示す立体図である。
【図１４】本考案の取り付け台と照明具ユニットが相互に嵌着する様子を示す一部パーツの立体組合せ図である。
【図１５】本考案の照明具ユニットの上視図である。
【図１６】図１５中Ｂ位置の拡大図である。
【図１７】本考案による第二実施例の第二台体ユニットの立体分解図である。
【図１８】本考案による第三実施例の照明具ユニットの一部パーツの立体分解図である。
【図１９】本考案による第三実施例の照明具ユニットの一部パーツの立体組合せ図である。
【図２０】従来の照明具の立体分解図である。
【考案を実施するための形態】
【実施例】
【０００９】
図１〜図８に示すように、本考案による照明具は、円型取り付け台１０及び照明具ユニット２を備える。
【００１０】
取り付け台１０は、壁面、天井或いは他の物体上に固定して設置され、その底部には、環状に配列する複数の係合スリット１００を設置する。
【００１１】
各係合スリット１００両側には、相互に通じるスリット導入部１１及びＬ型に接続するスリット係合部１２を設置する。
【００１２】
スリット係合部１２の幅は、スリット導入部１１の幅より小さい。
【００１３】
スリット導入部１１端部には、第一接触係止部１３を設置する。
【００１４】
照明具ユニット２は、第一台体２０、複数の嵌着部材３０、複数の結合部材３８、少なくとも１個の制限部材４０、少なくとも１個の弾性パーツ４８、第二台体ユニット５０及びランプ体部材６０を備える。
【００１５】
図４に示すように、第一台体２０は、星型を呈して、開口が下向きの薄い円錐状ケースで、その内部には、第一収容設置空間２１を備え、頂部には、第二穿孔２３及び環状に配列する複数の第一穿孔２２を設置し、側部には、環状に配列する貫通した複数の切欠き開口２４、及び頂面には、複数の環状片２５を環状に設置する。
【００１６】
第一穿孔２２とスリット導入部１１は相対し、第一穿孔２２、第二穿孔２３及び切欠き開口２４は、それぞれ、第一台体２０を貫通して内部の第一収容設置空間２１と連通する。
【００１７】
第二穿孔２３は、第一穿孔２２片側に位置する。
【００１８】
第一台体２０頂端面の環状片２５は環状に設置され、各環状片２５端部には、傾斜した端面の錐部２５１を設ける。
【００１９】
複数の環状片２５が取り囲む円周の内直径は、取り付け台１０の外直径より大きい。
【００２０】
図５に示す前記嵌着部材３０は、両端に嵌着部３１及び円孔状結合部３２をそれぞれ設け、第一台体２０の第一収容設置空間２１内に配置され、第一穿孔２２に該嵌着部３１を挿入して組み付けられる。
【００２１】
嵌着部３１は、第一台体２０の第一穿孔２２外に突出して露出する。
【００２２】
外ネジヤマを備える結合部材３８は、嵌着部材３０の結合部３２を貫通して第一台体２０と結合し、これにより嵌着部材３０は第一台体２０に固定して設置される。
【００２３】
図６に示すＬ型制限部材４０は、その頂端に制限部４１を突出状に設け、第一台体２０の第一収容設置空間２１内に配置されて、
該制限部４１を第一台体２０の第二穿孔２３外に露出して位置決めされる。
【００２４】
さらに、Ｌ型制限部材４０は、該制限部４１底部との間に段差状の第二接触係止部４２を設置する。
【００２５】
該第二接触係止部４２は、第一収容設置空間２１内に配置されて制限部４１を第二穿孔２３に挿入されたＬ型制限部材４０を第二穿孔２３の内側に当接して係止する。
【００２６】
上記制限部材４０片側には、第一作動部４３を突出して形成し、また制限部材４０底部には、円柱型凸柱４４を突出して設置する。
【００２７】
該第一作動部４３は、第一台体２０の切欠き開口２４から外方に突出して露出する。
【００２８】
前記弾性パーツ４８一端は、制限部材４０の凸柱４４に被嵌すると共に、他端を当接支持することにより、制限部材４０は第一台体２０に対してスライドして弾性移動の効果を備える。
【００２９】
第一台体２０の切欠き開口２４から外方に突出した第一作動部４３を操作して、制限部材４０を移動させると、制限部４１は、第二穿孔２３内に後退する。
【００３０】
図７、８、１５及び１６に示すように、薄いケース状第二台体ユニット５０と第一台体２０は、螺合部材により、相互に組み付けられ、嵌着部材３０及び制限部材４０を収容する。
【００３１】
第二台体ユニット５０は、第二台体５１、電極台５２、スイッチ５３、台座５
４及びボルト５５を備える。
【００３２】
第二台体５１は上向きに開口した薄いケース状を呈し、内部には、第二収容設置空間５１１を設け、電線、回路基板或いはその必要パーツを収容して設置し、中央には、円柱型ベース５１２を突出状に設置する。
【００３３】
円柱型ベース５１２端面には、内部に貫通した第四穿孔５１３を設置する。
【００３４】
第二台体５１外周には、第二収容設置空間５１１と相互に通じる２個の開口部５１４を設置する。
【００３５】
２個の開口部５１４は、前記円柱型ベース５１２に相対する。
【００３６】
第二台体５１外周には、それぞれＬ型を呈する４個の嵌合フック５１５を環状に配列する。
【００３７】
少なくとも１個の嵌合フック５１５と１個の開口部５１４とは、相互に正面対応する。
【００３８】
２個の嵌合フック５１５と２個の開口部５１４とは、正面対応する。
【００３９】
第二収容設置空間５１１内には、２個の第一組み付け部５１６及び２個の第二組み付け部５１７を設置する。
【００４０】
上記２個の第一組み付け部５１６及び２個の第二組み付け部５１７は、それぞれ２個の開口部５１４と正面対応する。
【００４１】
第一組み付け部５１６は、開口部５１４と第二組み付け部５１７間に位置する。
【００４２】
前記弾性パーツ４８の凸柱４４に被嵌して制限部材４０に当接する反対端は、第二収容設置空間５１１底部に当接して弾性接触する。
【００４３】
前記電極台５２は、前記円柱型ベース５１２内に収容され、その上には、相互に間隔を開けた主電極５２０及び副電極５２１を設置する。
【００４４】
該主電極５２０は、前記円柱型ベース５１２の第四穿孔５１３に挿通して設置する。
【００４５】
副電極５２１は、環状に配列する複数の爪部５２２を備える。
【００４６】
スイッチ５３は、開口部５１４及び第一組み付け部５１６位置に組み付け、スイッチ５３には、切り替えボタン５３１を設置すると共に該切り替えボタン５３１は、開口部５１４から外方に突出して露出する。
【００４７】
スイッチ５３は、マイクロスイッチである。
【００４８】
第二組み付け部５１７には、ボルト５５を通し、台座５４及びスイッチ５３を組み付け、これによりスイッチ５３は、上記の第一組み付け部５１６に位置して固定される。
【００４９】
電極台５２は、図８に示すベース５１２内に収容され、主電極５２０は、図７に示す第四穿孔５１３を挿通して設置される。
【００５０】
スイッチ５３は、上記のとおり第一組み付け部５１６に組み付けられ、台座５４は、第二組み付け部５１７及びスイッチ５３上に組み付けられる。
【００５１】
スイッチ５３は、台座５４に制限され、第一組み付け部５１６位置に組み付けられる。
【００５２】
ボルト５５は、台座５４を通過し、第二組み付け部５１７と結合してこれらを固定する。
【００５３】
以上の構造により、ランプ体部材６０が第二台体５０と組合せられていない時には、スイッチ５３は接触することなく解放状態であるからオフを呈し、主電極５２０及び副電極５２１は、電気的に非導通状態にある。
【００５４】
ランプ体部材６０には、それぞれブロック状を呈する４個の嵌合突起６１を環状に配列する（図3参照。）。
【００５５】
第二台体ユニット５０とランプ体部材６０とを回転して組合せると、ブロック状の嵌合突起６１は、開口部５１４の位置で、嵌合フック５１５と相互に嵌着してスイッチ５３の切り替えボタン５３１に接触し、これによりスイッチ５３はオンとなり、これにより主電極５２０及び副電極５２１は、電気的に導通状態となり、ランプ体部材６０は、外部電源７０に接続されて発光する。
【００５６】
照明具ユニット２の第一台体２０、嵌着部材３０、結合部材３８、制限部材４０、弾性パーツ４８、第二台体ユニット５０及びランプ体部材６０は、相互に組み付けられた後、図９に示す状態となる。
【００５７】
図１〜図１２に示すように、第一作動部４３を下方へと動かすと、制限部材４０の制限部４１は、第一台体２０の第二穿孔２３から後退し、第一台体２０の第一穿孔２２と取り付け台１０のスリット導入部１１とは、相互に相対して、第一台体２０内に取付けられてその第一穿孔２２外に突出した嵌着部材３０の嵌着部３１は、スリット導入部１１内に突出挿入される。
【００５８】
第一台体２０が、取り付け台１０端面に当接すると、第一作動部４３を下方へと移動させなくとも、制限部４１は、取り付け台１０の端面に押されて下方に移動し、第二穿孔２３内に後退する。
【００５９】
図１３及び１４に示すように、嵌着部材３０の嵌着部３１は、照明具ユニット２の回転操作に伴い、嵌合した取り付け台のスリット導入部１１とスリット係合部１２間で移動する。
【００６０】
照明具ユニット２を回すと、嵌着部３１とスリット係合部１２とは嵌着し、制限部材４０はスリット導入部１１位置へと移動し、制限部４１は、弾性パーツ４８の弾力で押されてスリット導入部１１内に収容され、制限部４１の幅は、スリット係合部１２の幅より大きく、制限部４１はスリット導入部１１内に収容され、第一接触係止部１３と相互に当接して照明具ユニット２は、制限部４１及び第一接触係止部１３に制限されて回転できず、これにより照明具ユニット２と取り付け台１０とは、相互に嵌着して定位される。
【００６１】
照明具ユニット２を、取り付け台１０上から取り外す時には、第一作動部４３を下方へと動かせば、制限部材４０は弾性パーツ４８を押圧して下方へとスライドし、制限部４１はスリット導入部１１外に脱出し、さらに照明具ユニット２を回して、嵌着部材３０の嵌着部３１をスリット導入部１１位置に回すと、嵌着部３１とスリット係合部１２とは相互に離れ、照明具ユニット２は、取り付け台１０上から取り外される。
【００６２】
図１７に示すように、第二台体ユニット５０には、第二台体５１及び電極台５２だけを設置し、スイッチ５３、台座５４及びボルト５５がない。
【００６３】
図１８及び１９に示すように、図４及び７と比較すると、第一台体２０は、扁平状を呈し、第二台体５１の型状とは異なる。
【００６４】
本考案の別種の実施例では、第一台体２０の端面には、複数の嵌着部３１を一体に突出状に設置する。
【００６５】
上記を総合すると、本考案は以下の効果を備える。
1. 制限部材４０の制限部４１は、取り付け台１０の第一入口１１を通過し、照明具ユニット２は、制限部４１及び第一接触係止部１３に制限され、回転できないため、安全性を備える。
2. 第一台体２０は、取り付け台１０端面に接触し、制限部４１は移動して第二穿孔２３内に後退し、該照明具ユニット２を組み付ける時には、制限部材４０を移動させなくとも、片手で取り付けできるため、利便性が高い。
3. 第一作動部４３を下方へと操作すると、制限部４１は第一入口１１を脱出し、次に照明具ユニット２を回転させて嵌着部３１を第一入口１１位置に回転させると、スリット係合部１２から脱出して照明具ユニット２は、取り付け台１０上から取り外され、このように二段階のステップが必要なため、安全性を備える。
4. ランプ体部材６０と第二台体５０を回転させて組み付けると、嵌合突起６１と嵌合フック５１５は嵌着し、スイッチ５３はオンとなり、主電極及び副電極は電気的に導通する。
5. 嵌合突起６１と嵌合フック５１５が離れると、スイッチ５３はオフとなる。
6.  
【産業上の利用可能性】
【００６６】
本考案は特許登録の要件である新規性を備え、従来の同類製品に比べ十分な進歩性を有し、実用性が高く、社会のニーズに合致しており、産業上の利用価値は非常に大きい。
【符号の説明】
【００６７】
１０  取り付け台
１００  係合スリット
１１  スリット導入部
１２  スリット係合部
１３  第一接触係止部
２  照明具ユニット
２０  第一台体
２１  第一収容設置空間
２２  第一穿孔
２３  第二穿孔
２４  切欠き開口
２５  環状片
２５１  錐部
３０  嵌着部材
３１  嵌着部
３２  結合部
３８  結合部材
４０  制限部材
４１  制限部
４２  第二接触係止部
４３  第一作動部
４４  凸柱
４８  弾性パーツ
５０  第二台体ユニット
５１  第二台体
５１１  第二収容設置空間
５１２  ベース
５１３  第四穿孔
５１４  開口部
５１５  嵌合フック
５１６  第一組み付け部
５１７  第二組み付け部
５２  電極台
５２０  主電極
５２１  副電極
５２２  爪部
５３  スイッチ
５３１  切り替えボタン
５４  台座
５５  ボルト
６０  ランプ体部材
６１  嵌合突起
７０  外部電源
７１  底台
７２  ランプ体台
７２１  第二係合部
【図１】
0003213344.tif 000003
【図２】
0003213344.tif 000004
【図３】
0003213344.tif 000005
【図４】
0003213344.tif 000006
【図５】
0003213344.tif 000007
【図６】
0003213344.tif 000008
【図７】
0003213344.tif 000009
【図８】
0003213344.tif 000010
【図９】
0003213344.tif 000011
【図１０】
0003213344.tif 000012
【図１１】
0003213344.tif 000013
【図１２】
0003213344.tif 000014
【図１３】
0003213344.tif 000015
【図１４】
0003213344.tif 000016
【図１５】
0003213344.tif 000017
【図１６】
0003213344.tif 000018
【図１７】
0003213344.tif 000019
【図１８】
0003213344.tif 000020
【図１９】
0003213344.tif 000021
【図２０】
0003213344.tif 000022